(57)【要約】【課題】  ボルトに対して傾斜しているフランジをナットで締め付けたときに、その荷重を吸収する機構を設けることにより、蓋受け枠の変形を防止する。【解決手段】  地下構造物用の蓋体を取り付ける蓋受け部１１と、下部構造に取り付けるフランジ部１２とから成り、下部構造に植設したボルト１５に挿通孔１４を通してかつナット２１、２２を螺合して取り付け可能とした蓋受け枠１０について、挿通孔１４の周囲を囲む空隙１６をフランジ部１２に設け、空隙１６で囲まれた挿通孔枠１７を形成するとともに、挿通孔枠１７とフランジ部１２とをブリッジ部１８によって結合した構造とし、施工時、ボルト１５に対してフランジ部１２が傾斜した位置関係にあり、ナット２２の締め付けによって挿通孔枠１７に荷重がかかったときの挿通孔枠１７とフランジ部１２とを結合しているブリッジ部１８の変形によって荷重を吸収可能とする。【選択図】          図５
2006009376.tif 000002
【特許請求の範囲】
【請求項１】
地下構造物用の蓋体を取り付ける蓋受け部と、下部構造に取り付けるフランジ部とから成り、下部構造に植設したボルトに挿通孔を通しかつナットを螺合して取り付け可能とした構成を有する蓋受け枠であって、挿通孔の周囲を囲む空隙をフランジ部に設け、空隙で囲まれた挿通孔枠を形成するとともに、挿通孔枠とフランジ部とをブリッジ部によって結合した構造とし、施工時、ボルトに対してフランジ部が傾斜した位置関係にあり、ナットの締め付けによって挿通孔枠に荷重がかかったときに、挿通孔枠とフランジ部とを結合しているブリッジ部の変形によって荷重を吸収可能としたことを特徴とする地下構造物用蓋受け枠。
【請求項２】
挿通孔を囲む空隙は、フランジ部の外周に達する部分を有している請求項１記載の地下構造物用蓋受け枠。
【請求項３】
挿通孔を囲む空隙は、フランジ部の外周に達することなく閉じている請求項１記載の地下構造物用蓋受け枠。
【発明の詳細な説明】
【技術分野】
【０００１】
本発明は、地下構造物用の蓋体を取り付ける蓋受け部と、下部構造に取り付けるフランジ部とから成り、下部構造に植設したボルトに挿通孔を通しかつナットを螺合して取り付け可能とした、地下構造物用蓋受け枠に関するものである。
【背景技術】
【０００２】
上下水道や情報回線などの地下構造物に設置されているマンホール、ハンドホール等では、蓋が設置面に対して出たり引っ込んだりしないように、蓋受け枠の高さや傾斜を調整する必要がある。蓋受け枠の調整が高さだけの場合には、問題はない。しかし蓋受け枠を傾斜させる必要のある場合には、フランジ部も傾斜しているため、下部構造に植設したボルト上でナットを締めて行くと、締め付け荷重によりフランジ部を斜めに加圧することになり、その結果、蓋受け枠に変形を生じさせることになる。この変形は僅かなものであるが、蓋体を受け枠にテーパー嵌合させるタイプのものでは、蓋のテーパー嵌合ができず、実用に耐えなくなるという問題を生ずる。またテーパー嵌合タイプの蓋体でなくても、所期の安定した閉蓋状態を得ることができなくなる、という問題を生ずる。
【０００３】
このため、実開平２−１１２７３７号のように、調整体の球面部によって蓋受け枠の傾斜を調整したものもある。しかし、同号の考案の場合、ナットと蓋受け枠のフランジとは面接触せず、ナットを締め付けた場合、フランジを変形させないとは言い難い。また特開平９−３２０２７号及び特開平９−１２５４２９号の発明は、受け枠調整時の変形防止として、調整体を弾性変形させるか、或いは調整体を凹凸で嵌合させ、歪みを防止するという手段を講じている。しかしこれらのものも、垂直に植立しているボルトに対して傾斜するフランジをナットで締め付けたときには、多かれ少なかれフランジに曲げ応力を生じているので、蓋体を取り付けたときがたつきを生じ、安定した閉蓋状態を得ることができない。
【０００４】
【特許文献１】実開平２−１１２７３７号
【特許文献２】特開平９−３２０２７号
【特許文献３】特開平９−１２５４２９号
【発明の開示】
【発明が解決しようとする課題】
【０００５】
本発明は前記の点に着目してなされたもので、その課題は、ボルトに対して傾斜しているフランジをナットで締め付けたときに、その荷重を吸収する機構を設けることにより、蓋受け枠の変形を防止することである。また本発明の他の課題は、ナットの締め付け荷重を吸収する機構を備えた地下構造物用蓋受け枠を提供することである。
【課題を解決するための手段】
【０００６】
前記の課題を解決するため、本発明は、地下構造物用の蓋体を取り付ける蓋受け部と、下部構造に取り付けるフランジ部とから成り、下部構造に植設したボルトに挿通孔を通しかつナットを螺合して取り付け可能とした蓋受け枠について、挿通孔の周囲を囲む空隙をフランジ部に設け、空隙で囲まれた挿通孔枠を形成するとともに、挿通孔枠とフランジ部とをブリッジ部によって結合した構造とし、施工時、ボルトに対してフランジ部が傾斜した位置関係にあり、ナットの締め付けによって挿通孔枠に荷重がかかったときに挿通孔枠とフランジ部とを結合しているブリッジ部の変形によって荷重を吸収可能とするという手段を講じたものである。
【０００７】
本発明に係る地下構造物用蓋受け枠は、蓋体を取り付けるための蓋受け部と、下部構造に取り付けるためのフランジ部とから成る。フランジ部は、下部構造に植設したボルトを通す挿通孔を有し、ボルトに螺合したナットによりフランジ部を締め付けて取り付けを行う。蓋受け枠は、内周に、蓋体外周をテーパー嵌合させるテーパー面を有するタイプのものであっても良いし、またテーパー嵌合することなく蓋体を取り付けるタイプのものであってもどちらでも良い。
【０００８】
また、ボルトは下部構造の上端面に植設されるものを指し、多くの場合、垂直方向を向くように設けられている。このことは、下部構造の多くが垂直方向を向けて設置されているということである。或いは、下部構造が垂直であるために、路面等に合わせて傾斜設置する蓋受け枠との位置関係を調整する必要を生ずるものということができる。下部構造には、側塊と称する枠であるとか、その上に重ねて設置する嵩上げ枠などを含む。下部構造の最上段には、傾斜設置される蓋受け枠と既設構造物との間を埋める調整枠が事前に、或いは施工中にモルタルなどを充填する工程を経て事後的に、設けられる。
【０００９】
下部構造に植設したボルトに通す挿通孔は、フランジ部に、等間隔の位置にてナットによる締め付けを可能とするように設けられるべきものである。このような挿通孔は、少なくとも３本のボルトによって蓋受け枠を下部構造に取り付けるものとすれば、１２０度間隔でフランジ部に設けられる。また、ボルト位置と挿通孔を一致させる必要上、挿通孔
は、隣の挿通孔の方向へ細長くした長孔の形態を有することが望ましい。
【００１０】
このような挿通孔の周囲に、空隙を設け、挿通孔が空隙で周囲をほぼ囲まれ、ブリッジ部という限られた部分でのみフランジに連絡した構造の挿通孔枠というものを形成する。挿通孔枠とフランジ部とを連絡するブリッジ部は、挿通孔枠に加えられるナットの締め付けに伴なう応力がフランジ部に及ぶのを防止することを目的として設けられる。そのためボルトに対してフランジ部が傾斜した位置関係にあり、ナット締め付けによって挿通孔枠に曲げ荷重がかかったときに、ブリッジ部の変形によってその荷重を吸収可能とする。
【００１１】
挿通孔を囲む空隙は、フランジ部の外周に達する、外に開いた部分を有するものであって良い。その例は後述のとおり実施例１として示される（図１〜図５）。これに対し、挿通孔を囲む空隙は、フランジ部の外周に達することなく閉じているものであっても良く、この例は後述のとおり実施例２として示される（図６〜図１０）。外に開いた空隙を有する挿通孔の場合、ブリッジ部の数は最小限１箇所であるが、閉じている空隙を有する挿通孔におけるブリッジ部の数は２箇所が最少となる。挿通孔を囲む空隙の形態は上記２例に限られるものではなく、それらの折衷も可能であり、閉じている空隙部分と開いている空隙部分とから成るものもあり得る。またブリッジ部の数についても１個又は２個のみならず３個又はそれ以上という形態もあり得る。
【００１２】
本発明に係る地下構造物用蓋受け枠は、鋳造によって生産されることが普通であり、好適な鋳造製品を得るために、例えばダクタイル鋳鉄などの鋳鉄を使用する。ダクタイル鋳鉄製の地下構造物用蓋受け枠であれば、ブリッジ部にナットの締め付けに伴う荷重がかかったときでも、曲がると同時に折れるということがなく、所期の目的を達成することができる。
【発明の効果】
【００１３】
本発明は以上の如く構成されかつ作用するものであるから、ボルトに対して傾斜しているフランジ部をナットにより締め付けたときに、その荷重をブリッジ部にて吸収するという機構により蓋受け枠の変形を好適に防止することができる。このため、蓋受け枠を路面などの状況に合わせてどのような傾斜にて設置しようとも、蓋体を完全に取り付けることができるという効果を奏する。
【発明を実施するための最良の形態】
【００１４】
以下図面を参照して本発明に係る地下構造物用蓋受け枠をより詳細に説明する。図１〜図５は本発明の実施例１を示しており、図１は蓋受け枠１０の平面形状を示す。例示の蓋受け枠１０は円形鉄蓋を取り付ける円形の形態を有するもので、蓋体を取り付ける円筒状の蓋受け部１１と、下部構造に取り付けるドーナツ円板状のフランジ部１２とから成る。蓋受け部１１は円筒状部分の内側にテーパー状の内周面１３が形成されており、蓋体の外側に形成されているテーパーの外周面とテーパー嵌合するタイプのものである。
【００１５】
このような蓋受け枠１０のフランジ部１２には、下部構造に植設したボルト１５を通す挿通孔１４が、周方向に等間隔で複数個設けられている。例示の挿通孔１４は全部で１２個のものが、３０度毎に設けられているので、どのように回転させても少なくとも３本のボルトに夫々の位置を合致させることができる。なお全ての挿通孔１４は周方向に細長い長孔から成っている。
【００１６】
各挿通孔１４には、その周囲を囲む空隙１６が設けられている。例示の空隙１６は、挿通孔１４をフランジ内方から外方へ囲むようにほぼＪ字形或いはほぼしの字形の形態を有し、かつ外側部ではフランジ部１２の外周に達している。つまり実施例１のものは、開いている空隙に属するということができる。空隙１６は、挿通孔１４の全周を囲むので挿通孔１４と空隙１６との間に枠状の部分が形成され、この部分を挿通孔枠１７と呼ぶ（図２参照）。
【００１７】
挿通孔枠１７は、ブリッジ部１８によってフランジ部１２と結合された状態を保っており、また、図３に示されているように、挿通孔枠１７の方がブリッジ部１８よりもやや厚肉に形成されている。例示のブリッジ部１８は挿通孔枠１７の内側中央部に１箇所設けられている。しかし、ブリッジ部１８は、挿通孔１４の長軸１９の方向に２箇所設けても良いことは容易に理解される。
【００１８】
図３Ａ及びＢはこのような構成を有する蓋受け枠１０の部分断面とボルト１５への取り付け例を示している。図３Ａに示す水平な状態から蓋受け枠１０を図３Ｂの傾斜状態で受け支えるには、ボルト１５に球面座を有する一対の調整子２４、２５を取り付ければ、ナット２６、２７によりワッシャ２８を介してフランジ部１２をボルト１５に取り付けることができる。この場合、ナット２６、２７を締め付け過ぎても、挿通孔枠１７に曲げ力は余り働かないのでブリッジ部１８に目に見える変形は起こりにくいが、球面座を使用しない場合には以下のようになる。
【００１９】
下部構造に植設されているボルト１５に挿通孔１４の部分を通し、予めボルト１５に螺合した位置決めナット２１と、フランジ部１２の上方から螺合した締め付けナット２２との間で、ワッシャ２３、２３′を介して固定することになる（図４）。しかし蓋受け枠１２が傾斜している場合、ナット２２の座面とワッシャ２３′が面接触せず、これを強く締め付けると、ブリッジ部１８が変形し、ワッシャ２３、２３′で挟まれた挿通孔枠１７がボルト１５とほぼ直交する状態になる。図５の状態である。このため締め付けナット２２の締め付け応力はブリッジ部１８で吸収されるので、蓋受け部１１を変形させることがなく、蓋体を安定かつ確実に取り付けることができる。
【００２０】
図６以下は、本発明の実施例２を示しており、図６は図１と同様の、蓋受け枠１０′の平面形状を示す。例示のものは、挿通孔１４を囲む空隙３６が、内方から外方へ囲むほぼＵ字形の形態を有している点において実施例１と相違しており、蓋受け枠自体の他の構成は実施例１のものと共通であるので符号を援用し、詳細な説明は省略する。
【００２１】
実施例２の場合、空隙３６は挿通孔１４の内方を囲んでいるので、挿通孔枠３７も挿通孔１４の内方と左右を囲むように設けられる。これに対して、挿通孔枠３７をフランジ部１２に結合された状態に保つブリッジ部３８は、ほぼＵ字形の形態を有する空隙３６の両端部に設けられることになる。実施例２における挿通孔枠３７を有する蓋受け枠１０′の詳細は図７に示されている。図８Ａ、Ｂに示されているとおり、球面座を有する一対の調整子２４、２５を使用した場合、ナット２６、２７を締め付け過ぎてもブリッジ部３８、３８の変形をきたさないことは実施例１の場合と同様である。
【００２２】
実施例２における蓋受け枠１０′を、下部構造に植設されているボルト１５に固定する方法は、実施例１の場合と基本的に変わらず、予めボルト１５に螺合した位置決めナット２１と、フランジ部１２の上方から螺合した締め付けナット２２との間で、ワッシャ２３、２３′を介して固定する（図９）。そして、蓋受け枠１０′が傾斜していると、ナット２２の座面とワッシャ２３′が面接触せず、これを締め付けることによりブリッジ部３８、３８が変形して荷重を吸収し、ワッシャ２３、２３′で挟まれている挿通孔枠３７がボルト１５とほぼ直交する状態になる（図１０）。実施例２の場合、ブリッジ部３８、３８はフランジ部１２の最外部に位置しており、その変形応力が蓋受け枠１０′の蓋受け部
１１に及ぶことはない。よって蓋体を蓋受け枠に安定して確実に取り付けることができ
る。
【図面の簡単な説明】
【００２３】
【図１】本発明に係る地下構造物用蓋受け枠の実施例１を示す平面図。
【図２】同上要部の拡大平面図。
【図３】Ａは図２中央部の断面図。Ｂは使用例の１を示す断面図。
【図４】本発明の実施例１のものにより、傾斜している蓋受け枠を固定するに当たり、ナットを締め付ける前の状態を示す断面図。
【図５】図４と同様で、ナットを締め付けた後の状態を示す断面図。
【図６】本発明の実施例２を示す平面図。
【図７】同上要部の拡大平面図。
【図８】Ａは図７中央部の断面図。Ｂは使用例の１を示す断面図。
【図９】図４と同じく、実施例２のものについてナットを締め付ける前の状態を示す断面図。
【図１０】図９の状態からナットを締め付けた後の状態を示す断面図。
【符号の説明】
【００２４】
１０、１０′  蓋受け枠
１１  蓋受け部
１２  フランジ部
１４  挿通孔
１５  ボルト
１６、３６  空隙
１７、３７  挿通孔枠
１８、３８  ブリッジ部
２１  位置決めナット
２２  締め付けナット
２３、２３′  ワッシャ
２４、２５  調整子
【図１】
2006009376.tif 000003
【図２】
2006009376.tif 000004
【図３】
2006009376.tif 000005
【図４】
2006009376.tif 000006
【図５】
2006009376.tif 000007
【図６】
2006009376.tif 000008
【図７】
2006009376.tif 000009
【図８】
2006009376.tif 000010
【図９】
2006009376.tif 000011
【図１０】
2006009376.tif 000012